(57)【要約】【課題】持ち運びがよく、密閉性が高く、更に改ざん防止機能を有する樹脂と紙との複合ケースを提供すること。【解決手段】弾性を有する樹脂から成る扁平な収容体の上端開放側について、その手前部を前側に、後方部を後ろ側に、それぞれ折り返して一対の折曲片を形成してあるケース本体と、前記上端開放側が挿入できる挿入部を有していると共にその奥側には前後にそれぞれ段落ち部が形成されている紙製の扁平なヘッダーとから構成され、ヘッダーの挿入部にケース本体の上端開放側を押し込むことにより、一対の折曲片の先端が段落ち部に落ち込んで抜け止め状態に成る。【選択図】図１
2010137896.tif 000002
【特許請求の範囲】
【請求項１】
弾性を有する樹脂から成る扁平な収容体の上端開放側について、その手前部を前側に、後方部を後ろ側に、それぞれ折り返して一対の折曲片を形成してあるケース本体と、前記上端開放側が挿入できる挿入部を有していると共にその奥側には前後にそれぞれ段落ち部が形成されている紙製の扁平なヘッダーとから構成され、ヘッダーの挿入部にケース本体の上端開放側を押し込むことにより、一対の折曲片の先端が段落ち部に落ち込んで抜け止め状態に成ることを特徴とする樹脂と紙との複合ケース。
【請求項２】
ヘッダーは、挿入部を構成する入口及びその付近においては前後共に紙が二枚重ねして形成してあり、挿入部から離れた部分は前後共に一枚で形成して段落ち部を形成してあることを特徴とする請求項１記載の樹脂と紙との複合ケース。
【請求項３】
一対の折曲片の先端が段落ち部に落ち込んだ瞬間には、折曲片と段落ち部との当たりにより、衝突音を発するようにしてあることを特徴とする請求項１又は２記載の樹脂と紙との複合ケース。
【請求項４】
ヘッダーには、開封用切目線が形成されていることを特徴とする請求項１乃至３のいずれかに記載の樹脂と紙との複合ケース。
【発明の詳細な説明】
【技術分野】
【０００１】
この発明は、透明又は半透明の樹脂製収容体と紙ヘッダーから成る複合ケースに関するものである。
【背景技術】
【０００２】
樹脂と紙から成る収容体（ケース）としては、例えば、特許文献１に示されているものがある。
【０００３】
上記ケースは、プラスチックシートにより容器部と蓋部とを備えた容器本体が形成され、容器部と蓋部とを折り畳むことにより商品等の被包装物が収納され、前記容器本体には、別体の吊り下げ体が設けられた収容体であって、前記容器本体には、容器と蓋部とを開いた際に前記吊り下げ体が取り外し可能なように、該吊り下げ体が係止される係止手段が設けられている。
【０００４】
ここで、前記吊り下げ体は、紙シート（台紙）で構成されているものもあり、その意味からすると樹脂と紙から成る収容体ということができる。
【０００５】
しかしながら、上記収容体においては、極単純であり、高い気密性を有するとか、また改ざん防止機能を有するとかという効果が存在しないものとなっている。
【０００６】
したがって、上記のような気密性や改ざん防止を必要とする医薬品（粉末、錠剤）等の如きものは収容できないと言ってよい。
【０００７】
そこで、毎日、定期的に医薬品を飲む必要がある者にとっては、持ち運びがよく、密閉性が高く、更に改ざん防止性を有するケースが開発されることを待ち望んでいる。
【特許文献１】特開２０００−１１８５５８号
【発明の開示】
【発明が解決しようとする課題】
【０００８】
そこで、この発明では、持ち運びがよく、密閉性が高く、更に改ざん防止機能を有する樹脂と紙との複合ケースを提供することを課題とする。
【課題を解決するための手段】
【０００９】
（請求項１記載の発明）
この発明は、弾性を有する樹脂から成る扁平な収容体の上端開放側について、その手前部を前側に、後方部を後ろ側に、それぞれ折り返して一対の折曲片を形成してあるケース本体と、前記上端開放側が挿入できる挿入部を有していると共にその奥側には前後にそれぞれ段落ち部が形成されている紙製の扁平なヘッダーとから構成され、ヘッダーの挿入部にケース本体の上端開放側を押し込むことにより、一対の折曲片の先端が段落ち部に落ち込んで抜け止め状態に成るものとしている。  
（請求項２記載の発明）
この発明は、上記請求項１記載の発明に関し、ヘッダーは、挿入部を構成する入口及びその付近においては前後共に紙が二枚重ねして形成してあり、挿入部から離れた部分は前後共に一枚で形成して段落ち部を形成してある。
（請求項３記載の発明）
この発明は、上記請求項１又は２記載の発明に関し、一対の折曲片の先端が段落ち部に落ち込んだ瞬間には、折曲片と段落ち部との当たりにより、衝突音を発するようにしてある。
（請求項４記載の発明）
この発明は、上記請求項１乃至３のいずれかに記載の発明に関し、ヘッダーには、開封用切目線が形成されている。
【発明の効果】
【００１０】
この発明は上記のような構成であり、次の効果を有する。
【００１１】
この発明の樹脂と紙との複合ケースは、持ち運びがよく、密閉性が高く、更に改ざん防止機能を有するものであるから、毎日、定期的に医薬品を飲む必要がある者にとっては使い勝手がよく非常に便利である。
【発明を実施するための最良の形態】
【００１２】
以下、この発明の樹脂と紙との複合ケースを実施するための最良の形態を、図面に基づいて詳細に説明する。
【実施例１】
【００１３】
図１はこの実施例の樹脂と紙との複合ケースＫにおける正面図、図２は前記複合ケースＫの背面図、図３は図２のＡ−Ａ断面図、図４は図３の上部断面図、図５はケース本体Ｋの展開図、図６はケース本体Ｋを折っていく手順を示す図（第１工程）、図７はケース本体１を折っていく手順を示す図（第２工程）、図８はケース本体１を折っていく手順を示す図（第３工程）、図９は折曲片を折り返す図（第４工程）、図１０はヘッダー２の展開図、図１１はヘッダー２を折っていく手順を示す図（第１工程）、図１２はヘッダー２を折っていく手順を示す図（第２工程）、図１３はヘッダー２を折っていく手順を示す図（第３工程）、図１４はヘッダー２の挿入部とケース本体１の上端部とを対向させた状態の正面図を示している。
（この実施例の樹脂と紙との複合ケースＫについて）
この樹脂と紙との複合ケースＫは、図１や図２に示すように、ポリプロピレン製の扁平な収容体１０の上端開放側について、その手前部を前側に、後方部を後ろ側に、それぞれ折り返して一対の折曲片１１を形成してあるケース本体１と、前記上端開放側が挿入できる挿入部２１を有していると共に前記挿入部２１の奥側には手前部及び後方部にそれぞれ段落ち部２２が形成され、更に左右両サイド部に、開封手段としての開封用切目線２０を設けてある紙製の扁平なヘッダー２とから構成され、ケース本体１の上端開放側を挿入部２１に押し込んでいくと、折り返された一対の折曲片１１が押し狭められ、図３及び図４に示すように、完全押し込みの少し手前で一対の折曲片１１の先端が段落ち部２２に落ち込んで広がることにより抜け止め状態と成るものである。
【００１４】
なお、複合ケースＫでは、図１や図２にケース本体の底部は前後壁を開くことにより自立可能な構造１９（以下自立構造という）を有しており、また、ヘッダー２には出没可能なフック２９を設けてある。
【００１５】
ここで、図３や図４においては、ケース本体１の底側を開いた状態としてあるが、これは図面を見やすくするためである。
（ケース本体１の具体的構成について）
このケース本体１は、接着剤等を除いて、全てがポリプロピレンで構成されたものを所定に折って形成することにより完成できるようにしてある。
【００１６】
このケース本体１を作成するためのシート状展開図４は、図５に示すように、折曲片１１と成る上端折り曲げ部４０aを有した長方形状のシート部材４０と
前記シート部材４０の左横に形成された長方形状のシート部材４１と、前記シート部材４１の左横に形成された、折曲片１１と成る上端折り曲げ部４２aを有した長方形状のシート部材４２と、前記シート部材４１の真下に形成された長方形状のシート部材４３と、前記シート部材４２の真下に形成された長方形状のシート部材４４とから構成されている。なお、図５に示す折曲線４８ａ〜４８ｆは折り目を示すものであり、折曲線４９は、折曲線４８ｅとの協同によりケース本体１を自立させる構造を作るためのものである。
【００１７】
ここで、図５に示すように、シート部材４０、４１、４２は幅がほぼ同一であり、シート部材４３、４４は前記のシート部材４０、４１、４２よりも少し幅狭に構成させてある。これは円滑に折り畳みができるようにするためである。
【００１８】
また、高さにおいては図５に示すように、シート部材４１、４３、４４についてはほぼ同一であるが、シート部材４０、４２はこれらよりも少し大きくしてある。これは、シート部材４０、４１、４２、４３、４４を折り畳んだ状態において、折曲片１１と成る上端折り曲げ部４０a、及び折曲片１１と成る上端折り曲げ部４２aが円滑に折り返せるようにするためである。なお、図５に示す符号ｔは粘着剤、接着剤、テープ等である。
（ケース本体１の組立方法について）
図５〜図９に示すように、シート状展開図４は以下のようにして折り畳まれる。
（１）先ず、図５や図６に示すように、シート部材４３、４４を、折曲線４８ｅ、４８ｆで折り曲げて、シート部材４２、４１に重ね合わせる。
（２）図６や図７に示すように、重なり合ったシート部材４２、４４を、折曲線４８ｄで折り曲げて、シート部材４３上に重ね合わせる。
（３）図７や図８に示すように、シート部材４０を、折曲線４８ｂで折り曲げてシート部材４４上に重ね合わせる。この状態では、接着剤ｔにより折り畳まれた状態は確保されたものとなっている。
（４）最後に図８や図９に示す手前側の折曲片１１を前側に折り返し、後ろ側の折曲片１１を奥側に折り返す。ここで、この実施例のものでは医薬品等を収容する収容体１０は２つである。
【００１９】
なお、上記（１）〜（４）のような作業は、単純なものであり、自動搬送ラインによって比較的簡単を作成することが可能である。
（ヘッダー２の具体的構成について）
このヘッダー２は、図１０〜図１３に示すように、接着剤ｔ１等を除いて、全て紙で構成されたものを以下に示すよう折り畳んで完成できるようにしてある。
【００２０】
このヘッダー２は、図１０に示すように、横長の長方形状の基板２６に対し、上部に蓋板２５を、下部に奥側ロック片２３を、左右に手前側ロック片２４、２４（接着剤ｔ１付き）をそれぞれ設けて構成してある。そして、基板２６と、蓋板２５、奥側ロック片２３、手前側ロック片２４、２４との間には折曲線２７ａ、２７ｂ、２７ｃを設けてあると共に、基板２６と手前側ロック片２４、２４との間には折曲線２７ｂに沿って開封用切れ目線２０を形成してある。
【００２１】
奥側ロック片２３は、図１１に示す折り畳み状態ではその上部が一段低い状態となり、奥側の折曲片１１が丁度嵌まり込むような形状となっている。
【００２２】
手前側ロック片２４、２４は、図１２に示す折り畳み状態においては、奥側ロック片２３とほぼ同じ形状に重なるようになり、手前側の折曲片１１が丁度嵌まり込むような形状となっている。
【００２３】
蓋板２５及び基板２６は、上記奥側ロック片２３と手前側ロック片２４、２４を挟み込み、接着剤ｔ１により前記挟み状態が維持されている。
【００２４】
即ち、この実施例のヘッダー２では、奥側ロック片２３と手前側ロック片２４、２４との間が挿入部２１となっており、また、奥側ロック片２３が存在していない基板２６部分、手前側ロック片２４、２４が存在していない蓋板２５部分が、段落ち部２２になっている。
【００２５】
なお、このヘッダー２には、図１０に示すように、基板２６にはフック２９が、手前側ロック片２５には告知部（製品のコマーシャル等を付帯できるものであればその形状には拘らない）２８を設けてある。
（ヘッダー２の組立方法について）
図１０〜図１３に示すように、シート状展開図４は以下のようにして折り畳まれる。
（１）図１０や図１１に示すように、折曲線２７ａで奥側ロック片２３を折り曲げて、基板２６の上に奥側ロック片２３を重ね合わせる。
（２）図１１や図１２に示すように、折曲線２７bで手前側ロック片２４、２４を折り曲げて奥側ロック片２３上に重ね合わせる。この状態では、手前側ロック片２４、２４上に接着剤ｔ１が表面に現れている。
（３）図１２や図１３に示すように、折曲線２７ｃで蓋板２５を折り曲げて手前側ロック片２４、２４上に蓋板２５を重ね合わせる。前記接着剤ｔ１により、蓋板２５は外れないようになり、これによりヘッダー２は完成する。
【００２６】
なお、上記（１）〜（３）のような作業は、単純なものであり、自動搬送ラインによって比較的簡単に作成することが可能である。
（ケース本体１とヘッダー２の結合と、その作用及び効果について）
ケース本体１とヘッダー２の結合する場合、図１４に示すように、ヘッダー２の挿入部２１と、ケース本体１の折曲片１１、１１を対向させ、前記挿入部２１にケース本体１を押し入れていく（この際、ヘッダー２の幅をケース本体の幅よりも少し大きくしており、ヘッダー２の両サイドを押すようにして膨らました状態にしてケース本体１を押し入れるようにすることが好ましい）。すると、折り返された一対の折曲片１１、１１が図３や図４に示すように、押し縮められ、完全押し込みの少し手前で一対の折曲片１１、１１の先端がそれぞれ段落ち部２２、２２に落ち込んで図１〜図４に示すように、抜け止め状態と成る。
【００２７】
なお、上記抜け止め状態となるに際して、一対の折曲片１１、１１の先端がそれぞれ段落ち部２２、２２に落ち込むことにより「カチッ」又は「バチッ」という結合音（一対の折曲片１１、１１が段落ち部２２、２２を構成する紙を叩く衝突音）を発する。したがって、ケース本体１とヘッダー２の結合が完全に行なわれていることが聴覚的に認識できる。
【００２８】
また、上記結合時においては、一対の折曲片１１、１１の弾性復帰力により、
収容体１０の上端開口は閉塞している状態となっている。すなわち、このケース本体１は密閉性が高いものとなっている。
【００２９】
更に、ケース本体１とヘッダー２との結合後には、ケース本体１内に収容されている医薬品を取り出したり又は追加するには、開封用切目線２０を破損しなければならない。したがって、この実施例の樹脂と紙との複合ケースＫは、改ざん防止機能を有していると言うことができる。
【００３０】
そして、この実施例の樹脂と紙との複合ケースは、フック２９による吊り下げ機能と、ケース本体１の底部における自立構造１９により、非常に扱いが良いものとなっている。
さらに、この実施の例の樹脂と紙との複合ケースＫは、全体に扁平状態となっているから、衣服のポケットの中に入れて持ち運びすることができ、非常に便利である。
【００３１】
ケース本体１に医薬品を入れた後において、前記ケース本体Ｋとヘッダー２とを結合するのは上述した如く単純なものであり、前記結合は手詰めや自動機械によって比較的簡単にできることが明らかである。
（その他の実施例について）
（１）上記実施例１では、図５に示すシート部材を折り畳んで二つの収容体１０を構成させているが、これに限定されることなく収容体１０の数を変えるようにしてもよい。
【００３２】
例えば、図１５に示すシート部材を採用した場合は、一つの収容体１０を作ることができ、図１６に示すシート部材を採用した場合は、三つの収容体１０を作ることができ、図１７に示すシート部材を採用した場合は、四つの収容体１０を作ることができる。
（２）実施例１のヘッダー２は、図１０〜図１３に示されたシート部材から構成されているが、これに限定されるものではない。要するに、上端開放側が密に挿入できる挿入部２１を有していると共に前記挿入部２１の奥側には手前部及び後方部にそれぞれ段落ち部２２が形成されている紙製の扁平なヘッダー２とから構成され、ケース本体１の上端開放側を挿入部２１に押し込んでいくと、折り返された一対の折曲片１１が押し狭められ、完全押し込みの少し手前で一対の折曲片１１の先端が段落ち部２２に落ち込んで広がることにより抜け止め状態と成るものであれば、上記構成に限定さるものではない。
（３）ケース本体１は、透明又は半透明であり且つ弾性を有するものであれば、採用できる。
（４）ヘッダー２の左右に開封用切目線２０をそれぞれ形成しているが、特に
これに限定されることはなく、ヘッダー２の左右の一方のみ、その他の位置でもよい。紙部分の破れ等が目視できれば改ざんされているか否かが判断できるからである。
（５）上記実施例では、扁平な収容体１０を、ポリプロピレン製のものとしているが、これに限定されることなく、ポリエチレンテレフタレートが好ましいが、医薬品でなければ透明又は半透明であって弾性を有する樹脂であってもよい。
【図面の簡単な説明】
【００３３】
【図１】この実施例の樹脂と紙との複合ケースにおける正面図。
【図２】前記複合ケースの背面図。
【図３】図２のＡ−Ａ断面図（自立状態にしている）。
【図４】図３の上部断面図。
【図５】前記複合ケースのケース本体の展開図。
【図６】ケース本体を折っていく手順を示す図（第１工程）。
【図７】ケース本体を折っていく手順を示す図（第２工程）。
【図８】ケース本体を折っていく手順を示す図（第３工程）
【図９】折曲片を折り返す図（第４工程）
【図１０】ヘッダーの展開図。
【図１１】ヘッダーを折っていく手順を示す図（第１工程）。
【図１２】ヘッダーを折っていく手順を示す図（第２工程）。
【図１３】ヘッダーを折っていく手順を示す図（第３工程）。
【図１４】ヘッダーの挿入部とケース本体の上端部とを対向させた状態の正面図。
【図１５】その他の実施例のケース本体の展開図（収容体が一つの場合）。
【図１６】その他の実施例のケース本体の展開図（収容体が三つの場合）。
【図１７】その他の実施例のケース本体の展開図（収容体が四つの場合）。
【符号の説明】
【００３４】
Ｋ        複合ケース
１        ケース本体
１０      収容体
１１      折曲片
１９      自立構造
２        ヘッダー  
２０      開封用切目線
２１      挿入部
２２      段落ち部
２８      告知部
【図１】
2010137896.tif 000003
【図２】
2010137896.tif 000004
【図３】
2010137896.tif 000005
【図４】
2010137896.tif 000006
【図５】
2010137896.tif 000007
【図６】
2010137896.tif 000008
【図７】
2010137896.tif 000009
【図８】
2010137896.tif 000010
【図９】
2010137896.tif 000011
【図１０】
2010137896.tif 000012
【図１１】
2010137896.tif 000013
【図１２】
2010137896.tif 000014
【図１３】
2010137896.tif 000015
【図１４】
2010137896.tif 000016
【図１５】
2010137896.tif 000017
【図１６】
2010137896.tif 000018
【図１７】
2010137896.tif 000019